(57)【要約】【課題】  従来の忘れ物防止機能付き携帯電話機は、ICタグと所持品とを対応付けて登録する操作や、出かける前に当日携行するものを設定する手間が面倒であるという問題点があり、本発明は、所持品の登録及び出かける前の携行品の設定を容易に行うことができ、忘れ物を携帯電話機の利用者に報知する忘れ物防止機能付き携帯電話機を提供する。【解決手段】  制御部１が、忘れ物防止アプリケーションで「当日設定モード」が設定された場合に、ＩＣタグ検出部３に対して、「小出力」で電波を発信するよう指示を出力し、ＩＣタグ検出部３が半径約１メートル以内の狭い範囲に届く出力で電波を発信して、これを受信したＩＣタグからの返信信号に含まれるＩＣタグのＩＤを読み取り、制御部１が、当該ＩＤに基づいて所持品登録テーブル２１に当日携行することを示す携行フラグをＯＮに設定する忘れ物防止機能付き携帯電話機である。【選択図】        図１
2006140550.tif 000002
【特許請求の範囲】
【請求項１】
ＩＣタグの識別子を検出する検出部を備え、所持品とそれに付されたＩＣタグの識別子とを対応付けて登録しておき、前記ＩＣタグの識別子を無線通信により前記検出部で検出し、検出が為されなかったＩＣタグの識別子に対応する所持品を忘れ物として検出して報知する忘れ物防止機能付き携帯電話機であって、
利用者が出かける際に、入力部からの指示により設定モードに移行し、前記無線通信の通信範囲より狭い範囲でＩＣタグの識別子を検出し、検出されたＩＣタグの識別子を携帯する所持品として設定することを特徴とする忘れ物防止機能付き携帯電話機。
【請求項２】
特定範囲に電波を発信して、前記電波を受信したＩＣタグからの無線信号を受信して前記ＩＣタグのＩＤを読み取るＩＣタグ検出部と、
予め登録された所持品とそれに対応するＩＣタグのＩＤの組を複数記憶しておき、それらの内当日携行する所持品に対応して設定されたフラグを記憶するメモリと、
定期的に前記ＩＣタグ検出部で検出したＩＤと、前記メモリにおいてフラグが設定されている所持品に対応するＩＤとを比較して、前記ＩＣタグ検出部において、対応するＩＤが検出されなかった所持品を忘れ物として検出する制御部とを備えた忘れ物防止機能付き携帯電話機であって、
前記制御部が、出かける際の携行品の設定を行う当日設定モードが設定された場合に、前記ＩＣタグ検出部に対して、前記特定範囲が忘れ物を検出する範囲より狭い範囲となるように電波を発信する指示を出力し、前記ＩＣタグ検出部で検出されたＩＤに対応して、前記フラグを前記メモリに設定することを特徴とする忘れ物防止機能付き携帯電話機。
【請求項３】
データを表示する表示部と、音声を出力するスピーカとを備え、
制御部が、忘れ物を検出する忘れ物検出モードが設定されている場合に、ＩＣタグ検出部に対して、特定範囲が設定モードにおける範囲より広い範囲となるように電波を発信する指示を定期的に出力し、前記ＩＣタグ検出部で検出したＩＤと、前記メモリにおいてフラグが設定されている所持品に対応するＩＤとを比較して、前記ＩＣタグ検出部において、対応するＩＤが検出されなかった所持品を忘れ物として検出して、前記スピーカに警報音を出力し、前記表示部に当該所持品の情報を表示させることを特徴とする請求項２記載の忘れ物防止機能付き携帯電話機。
【請求項４】
メモリが、所持品に対応するアイコンの表示データを記憶しており、
制御部が、忘れ物を検出した場合に、当該忘れ物の所持品に対応するアイコンの表示データを表示部に出力して、アイコンを表示させることを特徴とする請求項３記載の忘れ物防止機能付き携帯電話機。
【請求項５】
画像を入力するカメラと、利用者がデータを入力するキー入力部を備え、
制御部が、ＩＣタグのＩＤが記憶された２次元バーコードを前記カメラから入力して読み取り、前記ＩＤと、前記ＩＣタグに対応して前記キー入力部から入力された所持品名とを対応付けてメモリに登録することを特徴とする請求項２乃至請求項４のいずれか記載の忘れ物防止機能付き携帯電話機。
【請求項６】
メモリが、所持品に対応するアイコンを識別するための識別データを記憶しており、
制御部が、カメラから２次元バーコードと共に入力されたアイコンの画像データを、前記メモリに記憶されている識別データと比較して、一致するアイコンに対応する所持品を特定し、前記２次元バーコードから読み取ったＩＣタグのＩＤと前記所持品名とを対応付けて前記メモリに登録することを特徴とする請求項５記載の忘れ物防止機能付き携帯電話機。
【請求項７】
画像を入力するカメラを備え、
制御部が、前記カメラから入力された２次元バーコードから、ＩＣタグのＩＤとそれに対応する所持品名とを読み取り、前記ＩＤと前記所持品名とを対応付けてメモリに登録することを特徴とする請求項２乃至請求項４のいずれか記載の忘れ物防止機能付き携帯電話機。
【発明の詳細な説明】
【技術分野】
【０００１】
本発明は、携帯電話機に係り、特に利用者が外出先等で忘れ物をするのを防ぐことができる忘れ物防止機能付き携帯電話機に関する。
【背景技術】
【０００２】
近年、紙に埋め込むことも可能な０．４ｍｍ角の非接触ICチップが開発されている。この非接触ICチップは、２．４５ＧＨｚの高周波アナログ回路と１２８ビットのＲＯＭ（再生専用メモリ）を０．４ｍｍ角のチップサイズ中に集積している。これに関する先行技術として、平成１２（２０００）年１月１４日公開の特開２０００−１１１１４「商品認証システムおよびそれに用いる商品タグ」（出願人：株式会社日立製作所、発明者：菊地良知他）がある（特許文献１参照）。
【０００３】
また、携帯電話機に予め所持品名とＩＣタグのＩＤとを対応付けて登録しておき、ＩＣタグの読み取り装置を装着し、当該読み取り装置で所持品に貼付したＩＣタグを読み取るようにし、読み取れないＩＣタグがあれば、所有者に報知するものがある。この先行技術は、平成１６（２００４）年１月１５日公開の特開２００４−１３７８９号「ＩＣタグ検知装置及び携帯電話機」（出願人：コニカミノルタホールディング株式会社、発明者：星野徳子他）である（特許文献２参照）。
【０００４】
【特許文献１】特開２０００−１１１１４号公報
【特許文献２】特開２００４−１３７８９号公報
【発明の開示】
【発明が解決しようとする課題】
【０００５】
しかしながら、上記の特許文献２では、ＩＣタグと所持品とを対応付けて登録する操作が面倒であり、更に、登録された所持品の中から、出かける前に当日携行するものを設定する必要があるが、その手間も面倒であって、特許文献２の発明を実施ならしめるものとはなっていなかった。
【０００６】
本発明は上記実状に鑑みて為されたもので、所持品の登録及び出かける前の携行品の設定を容易に行うことができ、忘れ物を携帯電話機の利用者に報知する忘れ物防止機能付き携帯電話機を提供することを目的とする。
【課題を解決するための手段】
【０００７】
上記従来例の問題点を解決するための本発明は、ＩＣタグの識別子を検出する検出部を備え、所持品とそれに付されたＩＣタグの識別子とを対応付けて登録しておき、ＩＣタグの識別子を無線通信により検出部で検出し、検出が為されなかったＩＣタグの識別子に対応する所持品を忘れ物として検出して報知する忘れ物防止機能付き携帯電話機であって、利用者が出かける際に、入力部からの指示により設定モードに移行し、上記無線通信の通信範囲より狭い範囲でＩＣタグの識別子を検出し、検出されたＩＣタグの識別子を携帯する所持品として設定することを特徴とする。
【０００８】
本発明は、特定範囲に電波を発信して、電波を受信したＩＣタグからの無線信号を受信してＩＣタグのＩＤを読み取るＩＣタグ検出部と、予め登録された所持品とそれに対応するＩＣタグのＩＤの組を複数記憶しておき、それらの内当日携行する所持品に対応して設定されたフラグを記憶するメモリと、定期的にＩＣタグ検出部で検出したＩＤと、メモリにおいてフラグが設定されている所持品に対応するＩＤとを比較して、ＩＣタグ検出部において、対応するＩＤが検出されなかった所持品を忘れ物として検出する制御部とを備えた忘れ物防止機能付き携帯電話機であって、制御部が、出かける際の携行品の設定を行う当日設定モードが設定された場合に、ＩＣタグ検出部に対して、特定範囲が忘れ物を検出する範囲より狭い範囲となるように電波を発信する指示を出力し、ＩＣタグ検出部で検出されたＩＤに対応して、フラグをメモリに設定することを特徴とする。
【０００９】
本発明は、上記忘れ物防止機能付き携帯電話機において、データを表示する表示部と、音声を出力するスピーカとを備え、制御部が、忘れ物を検出する忘れ物検出モードが設定されている場合に、ＩＣタグ検出部に対して、特定範囲が設定モードにおける範囲より広い範囲となるように電波を発信する指示を定期的に出力し、ＩＣタグ検出部で検出したＩＤと、メモリにおいてフラグが設定されている所持品に対応するＩＤとを比較して、ＩＣタグ検出部において、対応するＩＤが検出されなかった所持品を忘れ物として検出して、スピーカに警報音を出力し、表示部に当該所持品の情報を表示させることを特徴とする。
【００１０】
本発明は、上記忘れ物防止機能付き携帯電話機において、メモリが、所持品に対応するアイコンの表示データを記憶しており、制御部が、忘れ物を検出した場合に、当該忘れ物の所持品に対応するアイコンの表示データを表示部に出力して、アイコンを表示させることを特徴とする。
【００１１】
本発明は、上記忘れ物防止機能付き携帯電話機において、画像を入力するカメラと、利用者がデータを入力するキー入力部を備え、制御部が、ＩＣタグのＩＤが記憶された２次元バーコードをカメラから入力して読み取り、ＩＤと、ＩＣタグに対応してキー入力部から入力された所持品名とを対応付けてメモリに登録することを特徴とする。
【００１２】
本発明は、上記忘れ物防止機能付き携帯電話機において、メモリが、所持品に対応するアイコンを識別するための識別データを記憶しており、制御部が、カメラから２次元バーコードと共に入力されたアイコンの画像データを、メモリに記憶されている識別データと比較して、一致するアイコンに対応する所持品を特定し、２次元バーコードから読み取ったＩＣタグのＩＤと所持品名とを対応付けてメモリに登録することを特徴とする。
【００１３】
本発明は、上記忘れ物防止機能付き携帯電話機において、画像を入力するカメラを備え、制御部が、カメラから入力された２次元バーコードから、ＩＣタグのＩＤとそれに対応する所持品名とを読み取り、ＩＤと所持品名とを対応付けてメモリに登録することを特徴とする。
【発明の効果】
【００１４】
本発明によれば、ＩＣタグの識別子を検出する検出部を備え、所持品とそれに付されたＩＣタグの識別子とを対応付けて登録しておき、ＩＣタグの識別子を無線通信により検出部で検出し、検出が為されなかったＩＣタグの識別子に対応する所持品を忘れ物として検出して報知する忘れ物防止機能付き携帯電話機であって、利用者が出かける際に、入力部からの指示により設定モードに移行し、上記無線通信の通信範囲より狭い範囲でＩＣタグの識別子を検出し、検出されたＩＣタグの識別子を携帯する所持品として設定するようにしているので、忘れ物を検索する広い無線通信の範囲より狭い範囲の無線通信で携帯品の設定を容易にできる効果がある。
【００１５】
本発明によれば、特定範囲に電波を発信して、電波を受信したＩＣタグからの無線信号を受信してＩＣタグのＩＤを読み取るＩＣタグ検出部と、予め登録された所持品とそれに対応するＩＣタグのＩＤの組を複数記憶しておき、それらの内当日携行する所持品に対応して設定されたフラグを記憶するメモリと、定期的にＩＣタグ検出部で検出したＩＤと、メモリにおいてフラグが設定されている所持品に対応するＩＤとを比較して、ＩＣタグ検出部において、対応するＩＤが検出されなかった所持品を忘れ物として検出する制御部とを備えた忘れ物防止機能付き携帯電話機であって、制御部が、出かける際の携行品の設定を行う当日設定モードが設定された場合に、ＩＣタグ検出部に対して、特定範囲が忘れ物を検出する範囲より狭い範囲となるように電波を発信する指示を出力し、ＩＣタグ検出部で検出されたＩＤに対応して、フラグをメモリに設定するようにしているので、利用者が、当日持っていく所持品を狭い範囲に置いて当日設定モードを設定すれば、狭い範囲内にある所持品に貼付されたＩＣタグを全て検出して、携行品の設定を少ない操作で一括して行うことができ、使い勝手を向上させることができる効果がある。
【００１６】
また、本発明によれば、データを表示する表示部と、音声を出力するスピーカとを備え、制御部が、忘れ物を検出する忘れ物検出モードが設定されている場合に、ＩＣタグ検出部に対して、特定範囲が設定モードにおける範囲より広い範囲となるように電波を発信する指示を定期的に出力し、ＩＣタグ検出部で検出したＩＤと、メモリにおいてフラグが設定されている所持品に対応するＩＤとを比較して、ＩＣタグ検出部において、対応するＩＤが検出されなかった所持品を忘れ物として検出して、スピーカに警報音を出力し、表示部に当該所持品の情報を表示させる上記忘れ物防止機能付き携帯電話機としているので、利用者が携行品を置き忘れたりした場合に、忘れ物があることを報知して忘れ物を防ぐことができ、また、検出範囲を携行品の設定時より広くしているので、必要以上に敏感に検出することなく、使い勝手を向上させることができる効果がある。
【００１７】
また、本発明によれば、メモリが、所持品に対応するアイコンの表示データを記憶しており、制御部が、忘れ物を検出した場合に、当該忘れ物の所持品に対応するアイコンの表示データを表示部に出力して、アイコンを表示させる上記忘れ物防止機能付き携帯電話機としているので、利用者に瞬時に忘れ物の内容を認識させることができる効果がある。
【００１８】
また、本発明によれば、画像を入力するカメラと、利用者がデータを入力するキー入力部を備え、制御部が、ＩＣタグのＩＤが記憶された２次元バーコードをカメラから入力して読み取り、ＩＤと、ＩＣタグに対応してキー入力部から入力された所持品名とを対応付けてメモリに登録する上記忘れ物防止機能付き携帯電話機としているので、所持品登録の際のＩＣタグのＩＤを入力する操作を大幅に簡略化でき、手入力による入力ミスを無くして正確にＩＤを入力でき、忘れ物検出の精度を向上させることができる効果がある。
【００１９】
また、本発明によれば、メモリが、所持品に対応するアイコンを識別するための識別データを記憶しており、制御部が、カメラから２次元バーコードと共に入力されたアイコンの画像データを、メモリに記憶されている識別データと比較して、一致するアイコンに対応する所持品を特定し、２次元バーコードから読み取ったＩＣタグのＩＤと所持品名とを対応付けてメモリに登録する上記忘れ物防止機能付き携帯電話機としているので、所持品登録の際の所持品名の入力操作を大幅に簡略化でき、使い勝手を向上させることができる効果がある。
【００２０】
また、本発明によれば、画像を入力するカメラを備え、制御部が、カメラから入力された２次元バーコードから、ＩＣタグのＩＤとそれに対応する所持品名とを読み取り、ＩＤと所持品名とを対応付けてメモリに登録する上記忘れ物防止機能付き携帯電話機としているので、所持品登録の際のＩＣタグのＩＤ及び所持品名を入力する操作を大幅に簡略化でき、手入力による入力ミスを無くして正確にＩＤを入力でき、忘れ物検出の精度を向上させることができる効果がある。
【発明を実施するための最良の形態】
【００２１】
本発明の実施の形態について図面を参照しながら説明する。
本発明の忘れ物防止機能付き携帯電話機は、ＩＣタグの識別子を検出する検出部を備え、所持品とそれに付されたＩＣタグの識別子とを対応付けて登録しておき、利用者が出かける際に、入力部からの指示により設定モードに移行し、比較的狭い無線通信の範囲でＩＣタグの識別子を検出し、検出されたＩＣタグの識別子を携帯する所持品として設定し、外出最中は忘れ物検出モードに移行し、ＩＣタグの識別子を比較的広い無線通信の範囲で検出し、設定されたＩＣタグの識別子の中で、検出が為されなかったＩＣタグの識別子に対応する所持品を忘れ物として検出して報知する忘れ物防止機能付き携帯電話機としていおり、忘れ物を検索する広い無線通信の範囲より狭い範囲の無線通信で携帯品の設定を容易にできるものである。
【００２２】
また、本発明の忘れ物防止機能付き携帯電話機は、ＩＣタグ検出部を備え、利用者の所持品の内その日に持っていく携行品を設定する動作モードとして「当日設定モード」を備え、「当日設定モード」が設定されている場合には、ＩＣタグ検出部が狭い範囲に届くような出力で電波を送出し、この範囲内にある所持品に貼付されているＩＣタグが電波を受信して識別信号を送信すると、ＩＣタグ検出部が識別信号を受信して、その日に持っていく携行品のＩＤとして設定するものであり、利用者が外出前に携行する品物を設定する作業を軽減できるものである。
【００２３】
また、本発明の忘れ物防止機能付き携帯電話機は、外出時又は外出中に忘れ物がないかどうかを検出する動作モードとして「忘れ物検出モード」を備え、「忘れ物検出モード」が設定されている場合には、ＩＣタグ検出部が、定期的に、「当日設定モード」よりも広い範囲に届く出力で電波を送出し、この範囲内にある所持品に貼付されているＩＣタグからの識別信号を受信して、「当日設定モード」において設定された携行品のＩＤと比較して、受信しないＩＤがあれば、忘れ物がある旨を音と表示で報知すると共に、当該ＩＤと対応付けられて記憶されている所持品名を表示するものであり、外出時や外出中に忘れ物を防ぐことができるものである。
【００２４】
また、本発明の忘れ物防止機能付き携帯電話機は、所持品を登録する動作モードとして「所持品登録モード」を備え、「所持品登録モード」が設定されている場合に、ＩＣタグのＩＤの情報と所持品名の情報とを含む２次元バーコードの画像データを携帯電話機のカメラから入力し、ＩＣタグのＩＤ情報及び所持品名を読み出して、ＩＤ情報と所持品名とを対応付けて登録するものであり、ＩＣタグのＩＤや所持品名の登録作業を容易にし、使い勝手を向上させることができるものである。
【００２５】
本発明の実施の形態に係る忘れ物防止機能付き携帯電話機について図１を用いて説明する。図１は、本発明の実施の形態に係る忘れ物防止機能付き携帯電話機の構成ブロック図である。
図１に示すように、本発明の実施の形態に係る忘れ物防止機能付き携帯電話機（本装置）は、制御部１と、記憶部のメモリ２と、ＩＣタグ検出部３と、送受信部５と、入力部のキー入力部６と、表示部７と、スピーカ８と、マイク９と、カメラ１０とから構成され、各構成部分はバスにより接続されている。
【００２６】
各構成部分について具体的に説明する。
制御部１は、キー入力部６から入力される指示等に応じて所定のプログラムに基づいて処理を実行するものであり、各部への指示の出力やデータの転送等を行うものである。具体的には、制御部１は、ＣＰＵ及び一時記憶メモリとから構成され、キー入力部６から入力された指示に基づいて、メモリ内に記憶されているプログラムを一時記憶メモリに展開し、当該プログラムに基づいて処理を実行するものである。特に、本装置の制御部１は、忘れ物防止アプリケーションのプログラムを実行するものである。
【００２７】
また、本装置の制御部１は、２次元バーコード処理手段を備えており、後述するカメラ１０から入力された２次元バーコードの画像データに含まれる情報を読み取るものである。２次元バーコードに含まれる情報としては、ＩＣタグのＩＤ情報や所持品名若しくは所持品のＩＤがある。
制御部１の動作については後で詳細に説明する。
【００２８】
更に、制御部１は、カメラ１０から入力されたアイコンの画像データを、予めメモリ２に記憶されているアイコン識別データと比較してアイコンを識別するアイコン識別手段を備えており、当該アイコンに対応して記憶されている所持品名を読み取って、所持品登録テーブル２１に登録するものである。アイコンの入力については後で説明する。
【００２９】
更にまた、本装置の制御部１は、ＩＣタグ検出部３に対して、設定されている忘れ物防止アプリケーションの動作モードに応じて、電波の到達範囲を変えるよう、電波の出力を切り替える指示を出力するものである。具体的には、制御部１は、「当日設定モード」が登録されている場合には狭い到達範囲で電波を出力するよう、ＩＣタグ検出部３に指示を出力し、「忘れ物検出モード」が登録されている場合には広い到達範囲で電波を出力するよう、ＩＣタグ検出部３に指示を出力する。「当日設定モード」「忘れ物検出モード」については後で説明する。
【００３０】
メモリ２は、制御部１における処理プログラムや、各種データを記憶しているものである。特に、本装置のメモリ２は、忘れ物防止アプリケーションの処理プログラム及びアプリケーションの実行に必要な各種データを記憶している。また、所持品名とＩＣタグのＩＤとを対応付けて記憶する所持品登録テーブル２１を記憶しているものである。所持品登録テーブル２１については後で詳細に説明する。
【００３１】
また、メモリ２は、カメラ１０から入力されたアイコンデータを識別するためのアイコン識別データと、所持品を視覚的に表現するアイコンを表示するアイコン表示用データと、所持品名とを対応付けて記憶するアイコンテーブル２２を記憶しているものである。アイコンテーブル２２についても後で説明する。
【００３２】
ＩＣタグ検出部３は、利用者の所持品に貼付されたＩＣタグとの間で無線通信を行うものであり、電波を出力し、当該信号を受信したＩＣタグがそれに応じて出力した信号を受信して、受信信号に含まれるＩＣタグのＩＤを読み取って制御部１に出力するものである。
【００３３】
特に、本装置のＩＣタグ検出部３の特徴として、電波を送出する際の出力（電力）を変えることで、到達範囲が異なる２種類の送出を行うようになっている。本装置のＩＣタグ検出部３は、予め電圧や電流の値、又は送信電力の増幅率が２種類設定されており、一方は、特定の狭い出力範囲に電波を出力するよう電流・電圧が設定された「小出力」であり、他方は、「小出力」より広い特定の範囲に電波を出力するよう電流・電圧が設定された「大出力」である。そして、電波出力の際には、制御部１からの指示に応じて「小出力」又は「大出力」のいずれかの出力で電波を出力して、それぞれ電波の到達範囲内にあるＩＣタグと通信するようになっている。
【００３４】
例えば、ＩＣタグ検出部３は、「当日設定モード」が設定されている場合には、「小出力」で、例えば半径数十センチから１メートルの狭い範囲に届くように電波を出力して、また、「忘れ物検出モード」が設定されている場合には、「大出力」で、例えば半径数メートル、例えば３〜５メートルの範囲に電波を出力し、それぞれ当該電波を受信したＩＣタグからのＩＤ信号を受信する。
【００３５】
送受信部５は、アンテナを備え、音声信号やデータの送受信及び変復調、送受信に伴うデータ変換や符号化／復号化の処理を行うものである。
【００３６】
キー入力部６は、携帯電話機の操作部であり、利用者が指示を入力するものである。本装置のキー入力部６は、忘れ物防止アプリケーションを起動したり、動作モードを切り替えて、所持品の登録や当日の携行品の設定等の指示を入力するものである。入力された指示信号は制御部１に出力される。
【００３７】
表示部７は、制御部１からの指示に従ってデータを表示するものであり、ＬＣＤ（Liquid Crystal Display）等で構成され、所持品登録モードにおける登録画面や所持品の登録内容や、当日設定モードでの携行品の設定画面及び設定内容の一覧表示、忘れ物検出モードで忘れ物が検出された場合の警告（アラーム）等を表示するものである。
【００３８】
スピーカ８は、電気信号を音声に変換して受話音声を出力したり、音又は音声による忘れ物の警告（アラーム）を出力するものである。
マイク９は音声を電気信号に変換して携帯電話機に取り込むものである。
カメラ１０は画像を入力するものであり、特に、本装置では、２次元バーコードや後述するアイコンシールの画像を取り込み、画像データとして制御部１に出力するものである。
【００３９】
次に、本装置の動作について説明する。
キー入力部６から携帯電話機のアプリケーションメニューが呼び出され、忘れ物防止アプリケーション起動の指示が入力されると、制御部１はメモリ２から忘れ物防止アプリケーションのプログラムをワークエリアに展開して起動する。忘れ物防止アプリケーションは、「所持品登録モード」と「当日設定モード」と「忘れ物検出モード」の３つの動作モードを備えており、アプリケーションの起動時に３つの動作モードが表示されて、キー入力部６からいずれかの動作モードが設定されると、制御部１は、その動作モードに応じた処理を行う。そして制御部１は、設定された動作モードを内部のワークエリアに記憶しておくものである。
【００４０】
まず、「所持品登録モード」について説明するが、その前に、忘れ物検出の対象となりうる所持品の登録を簡便に行うための補助手段として用いられるＩＣタグシートについて図２を用いて説明する。図２（ａ）〜（ｃ）は、本装置における所持品の登録の補助手段としてのＩＣタグシートの模式説明図である。
図２（ａ）に示すように、ＩＣタグシートは、所持品に貼付可能なＩＣタグが取り付けられ、当該ＩＣタグの近傍に、当該ＩＣタグのＩＤ情報が記憶された２次元バーコードが印刷されたシートである。つまり、ＩＣタグと２次元バーコードとが予め対応付けられたシートである。そして、２次元バーコードの近くには、当該ＩＣタグを貼付する所持品名を記載する所持品記入欄が設けられている。尚、ＩＣタグシートは、本装置の利用者に無料又は有料で配布されるものである。
ここではＩＣタグと２次元バーコードとが１つずつしか設けられていない小型のシートを示しているが、ＩＣタグと２次元バーコードの組が複数設けられた大型のシートとしてもよい。
【００４１】
ＩＣタグシートを用いた所持品登録方法について説明する。
利用者は、ＩＣタグを貼付したい所持品の名前を所持品名記入欄に記載して、ＩＣタグをシートからはずし、記載した所持品名に相当する所持品にＩＣタグを貼付しておく。ＩＣタグと２次元バーコードの組合せだけでは、利用者にはどれも同じに見えてしまって識別困難であるが、ＩＣタグシートに所持品名記入欄を設けて所持品名を記入可能としたことにより、ＩＣタグの貼付ミスや所持品名の入力ミスを防ぎ、登録作業をスムーズに行うことができるものである。
【００４２】
そして、利用者が、キー入力部６からの操作によって忘れ物防止アプリケーションを起動し、「所持品登録モード」を選択すると、例えば、表示部７に「２次元バーコードを入力してください」といったメッセージが表示され、利用者が、カメラ１０で２次元バーコードを撮影すると、２次元バーコードの画像データが制御部１に入力される。
【００４３】
制御部１は、２次元バーコード処理手段によって２次元バーコードの画像データからＩＤを読み取ってワークエリアに一時的に記憶して、表示部７に「所持品名を入力してください」といったメッセージを表示し、利用者が、キー入力部６から手入力で所持品名（例えば「かさ」）を入力すると、例えば「かさを登録しますか」といった確認メッセージを表示し、登録の指示が入力されると、制御部１は、一時記憶しているＩＣタグのＩＤと、入力された所持品名とを対応付けてメモリ２の所持品登録テーブル２１に記憶する。このようにして所持品の登録が行われるものである。
これにより、所持品登録の際のＩＣタグのＩＤ入力作業を大幅に簡略化して、忘れ物検出のための登録作業を迅速且つ容易にし、また、ＩＤを正確に入力できるので、忘れ物検出の精度を向上させることができるものである。
【００４４】
また、別のＩＣタグシートとして、２次元バーコードに、ＩＣタグのＩＤだけでなく、所持品の名称の情報若しくは所持品のＩＤも含まれているようにしてもよい。このようなＩＣタグシートの例を図２（ｂ）に示す。図２（ｂ）は、２次元バーコードに所持品名の情報も含むＩＣタグシートの説明図である。
図２（ｂ）に示すように、２次元バーコードにＩＣタグのＩＤと所持品名の情報とを含む場合には、予め、２次元バーコードに記憶された所持品名が、利用者に読み取り可能な状態でシートに印刷されている。図２（ｂ）の例では予め「かさ」と印刷されている。これにより、利用者は、どのＩＣタグをどの所持品に貼付するのか判別できるようにしている。
【００４５】
そして、図２（ｂ）のＩＣタグシートによる登録が行われた場合には、カメラ１０から２次元バーコードの画像データが制御部１に入力されると、２次元バーコード処理手段が画像データからＩＣタグのＩＤと所持品名の情報とを読み取って、「かさを登録しますか」といった確認メッセージを表示した後、所持品名を表示して上記と同様の処理によりＩＤと所持品名とを所持品登録テーブル２１に登録する。これにより、利用者は、所持品名を登録する際に当該所持品名を手入力しなくて済み、登録の作業を大幅に軽減することができるものである。
【００４６】
また、メモリ２に、所持品のＩＤとそれに対応する所持品名とが記憶されている場合には、２次元バーコード処理手段が、２次元バーコードからＩＣタグのＩＤと所持品のＩＤとを読み取って、当該所持品のＩＤを対応して記憶されている所持品名に変換し、ＩＣタグのＩＤと共に所持品登録テーブル２１に登録する。
【００４７】
更に別のＩＣタグシートとして、所持品名記入欄に利用者が手書きで所持品名を記入する代わりに、所持品を表すアイコンが記載された「アイコンシール」を貼付するようにしたものもある。図２（ｃ）は、アイコンシールを貼付するＩＣタグシートの例を示す説明図である。
図２（ｃ）に示すように、アイコンシールを貼付するＩＣタグシートは、図２（ａ）に示したＩＣタグシートと同様にＩＣタグと２次元バーコードとを対応付けるシートであるが、所持品名記入欄の代わりにアイコンシールを貼る欄（スペース）が設けられており、ここに所望の所持品に対応するアイコンシールを貼り付けるようになっている。尚、アイコンシールは、ＩＣタグシートと共に有料又は無料で配布される。
【００４８】
アイコンシールについて、図３を用いて説明する。図３は、アイコンシールの例を示す説明図である。
図３に示すように、アイコンシールは、利用者が一目でわかるような図柄で所持品を表現したアイコンが記載されたシールである。図３の例では、「かさ」を表しているが、同じ「かさ」でも、色や形状を変えて所持品の特徴をより的確に表現することも可能である。例えば、柄の長いかさと折り畳みのかさを異なる図柄としたり、紳士物の帽子と婦人物の帽子とを異なる図柄で表現してもよい。このように種々の図柄を用意しておくことにより、所持品の特徴を文字で記述しなくても特徴を視覚的に表現でき、利用者はアイコンによって所持品を細かく識別できるものである。
【００４９】
そして、アイコンシールを用いた登録を行う場合、制御部１のアイコン識別手段が、カメラ１０で取り込んだアイコンの画像データから所持品名を特定する。また、メモリ２には、制御部１がアイコンを識別する際の基準となるアイコン識別データが記憶されている。
【００５０】
アイコン識別データを記憶するアイコンテーブル２２について図４を用いて説明する。図４は、アイコンテーブル２２の模式説明図である。
図４に示すように、アイコンテーブル２２は、各々のアイコン識別データと所持品名と、更にアイコンを表示するためのアイコン表示データを対応付けて記憶しているものである。
アイコン識別データは、カメラ１０でアイコンシールのアイコンを撮影した場合の画像データが、どの所持品に対応するアイコンであるかを判定する基準となるものである。また、アイコン表示データは、「所持品登録モード」における所持品の一覧表示や、「当日設定モード」における携行品の一覧表示や、「忘れ物検出モード」における警告メッセージの表示に用いられるアイコンの表示データである。
【００５１】
アイコンテーブル２２に登録されているアイコンは、アイコンシールに対応しているものであり、アイコンテーブル２２には、例えば、「かさ（長）」「かさ（折り畳み）」「かさ（赤）」「かさ（黒）」といった具合に、予め各アイコンの色や形状に合わせて所持品名が記憶されている。尚、アイコンテーブル２２のデータは、忘れ物防止アプリケーションの中に予め備えられているものである。
【００５２】
アイコンシールを用いた所持品の登録方法について説明する。
利用者は、複数のアイコンシールの中から、所望の所持品に最も適切なアイコンシールを選択して、ＩＣタグシートに貼付し、所持品登録を行う。
所持品登録モードにおいて、カメラ１０で２次元バーコードとアイコンシールとを撮影すると、２次元バーコードとアイコンシールの画像データが制御部１に入力され、制御部１の２次元バーコード処理手段が、２次元バーコードからＩＣタグのＩＤを読み取る。
【００５３】
更に、制御部１のアイコン識別手段は、アイコンシールの画像データからアイコン部分を抽出し、抽出されたアイコンのデータと、メモリ２のアイコンテーブル２２に記憶されているアイコン識別データとを比較して、一致するアイコン識別データがあれば、それに対応する所持品名を読み取る。尚、アイコン識別の処理は一般的な画像識別処理であり、入力されたアイコンの画像と、記憶されているアイコン識別データとの類似度が一定水準以上であれば「一致」と判断するものである。
【００５４】
そして、制御部１は、読み取った所持品名に基づいて、表示部７に「かさ（赤）を登録しますか」といった確認メッセージを表示後、キー入力部６からＯＫが入力されると、ＩＣタグのＩＤと「かさ（赤）」とをメモリ２の所持品登録テーブル２１に対応付けて記憶するものである。
【００５５】
次に、所持品登録テーブル２１について図５を用いて説明する。図５は、所持品登録テーブル２１の模式説明図である。
図５に示すように、所持品登録テーブル２１は、上述した忘れ物防止アプリケーションの「所持品登録モード」で登録されたＩＣタグのＩＤと、所持品名とを対応付けて記憶しているものであり、ここに登録されている所持品について後述する「当日設定モード」での設定を行うことにより、外出の際の忘れ物検出を行うことが可能となるものである。
【００５６】
更に、本装置の所持品登録テーブル２１は、各々のＩＣタグのＩＤに対応して、忘れ物検出の対象となる所持品を示す携行フラグが設定可能となっている。携行フラグは、後述する「当日設定モード」において設定されるものである。図５の例では、携行フラグが「１（携行フラグＯＮ）」に設定されている所持品が、当日持って出かける所持品であり、「忘れ物検出モード」において忘れ物検出の対象となるものである。携行フラグが「０（携行フラグＯＦＦ）」の所持品は、携行フラグが設定されておらず、その日は持って出かけないものであり、その日の忘れ物検出の対象外の所持品である。
【００５７】
次に、忘れ物防止アプリケーションの「当日設定モード」について図６を用いて説明する。図６は、忘れ物防止アプリケーションの当日設定モードを示す模式説明図である。
本装置の忘れ物防止アプリケーションの「当日設定モード」には、更に、「自動設定」と「手動設定」とがあって、メニューでいずれかが選択可能となっているが、ここではまず、「自動設定」について説明する。
【００５８】
図６に示すように、「当日設定モード」の「自動設定」では、利用者が、当日持っていくものをまとめてテーブルの上などに並べ、キー入力部６から「設定」の指示を入力すると、本装置のＩＣタグ検出部３が、「小出力」で半径約１メートル以内の狭い範囲に電波を出力する。そして、並べられた所持品に貼付されているＩＣタグが当該電波に応じて出力すると、ＩＣタグ検出部３は、ＩＣタグからの信号を受信して、受信信号中に含まれるＩＤを読み取って、制御部１に出力する。そして、制御部１が、所持品登録テーブル２１において当該ＩＤに対応する所持品に携行フラグを「１」に設定するものである。
【００５９】
具体的には、制御部１は、メモリ２の所持品登録テーブル２１を参照し、入力されたＩＣタグＩＤが記憶されているかどうかを判断し、記憶されていれば、当該ＩＤに対応する携行フラグを「１」に設定する。そして、制御部１は、入力された全てのＩＤについて所持品登録テーブル２１に登録されているかどうかをチェックして、登録されていれば、携行フラグを「１」に設定する。ここで携行フラグが「１」に設定された所持品が、「忘れ物検出モード」において検出対象となるものである。このようにして、当日持っていく所持品（携行品）の設定が行われる。
【００６０】
尚、当日設定モードの自動設定における電波の出力範囲は、図６に示すように、その日に携行する所持品（携行品）をテーブルの上などに並べた場合に、全てに対して電波が届く程度の範囲であり、半径数１０センチ〜１メートル程度が好ましい。あまり広い範囲とすると、その日に持って行かない所持品にも電波が届いてしまい、携行品として設定されてしまうため好ましくない。
【００６１】
また、「当日設定モード」において、「手動設定」が選択された場合には、本装置は、所持品登録テーブル２１に登録されている所持品名を表示部７に一覧表示し、その中から携行品として設定したい所持品がキー入力部６によって選択されると、制御部１は、選択された所持品に対応する携行フラグを「１」に設定するものである。
【００６２】
尚、本装置では、自動設定／手動設定にかかわらず、設定が終わると、表示部７に設定された携行品を一覧表示するようになっている。これにより、利用者は携行品として設定された所持品の内容を確認できるものである。携行品の一覧表示は、携行品として設定された所持品名のみを表示する形式でもよいし、所持品登録テーブル２１に登録されている所持品名を一覧表示して、その内携行フラグが「１」に設定されている所持品名に印をつけたり表示色を変えて表示する形式としても構わない。
【００６３】
次に、忘れ物防止アプリケーションの「忘れ物検出モード」について図７を用いて説明する。図７は、忘れ物防止アプリケーションの忘れ物検出モードを示す模式説明図である。
忘れ物検出モードは、忘れ物防止アプリケーションが起動され、メニューから動作モードの設定を行う際に「忘れ物検出モード」を選択することで設定される。又は、「当日設定モード」において携行品を確定した際に、自動的に忘れ物検出モードに移行するようにしてもよい。自動的に忘れ物検出モードに移行するようにすると、忘れ物検出モードの設定忘れが無くなり、また、当日設定モード終了後直ちに忘れ物検出を開始するので、外出先だけでなく、外出時に携行品を家に置き忘れてしまうことがあっても確実に報知できるものである。
【００６４】
忘れ物検出モードが設定されると、制御部１は、忘れ物がないかどうかをチェックする処理を定期的に行う。具体的には、制御部１は、数分〜数十分おき（例えば１５分おき、３０分おき等）に、ＩＣタグ検出部３に対して、「大出力」での電波の出力を指示して、広い範囲に電波を出力する指示を送出する。
【００６５】
ここで、広い範囲とは、外出先で、利用者が忘れ物をしたかどうかを監視する範囲であり、当日設定モードよりは広い範囲とし、半径数メートル程度（例えば３メートル）が望ましい。忘れ物検出モードにおける検出範囲が狭すぎると、例えば、入り口に置いたかさが検出できずに警報音を発生してしまう、といった恐れがある。
【００６６】
また、利用者の行き先や目的に応じて、任意に検出範囲を設定可能としても構わない。
この場合には、忘れ物防止アプリケーションに予め検出範囲の半径と、電流・電圧の組（又は増幅率）を対応付けた対応テーブルを備えておき、メニューから「検出範囲設定」といった項目が選択されると、制御部１が、選択可能な検出範囲の半径を一覧表示し、選択された検出半径に対応する電流・電圧を対応テーブルから読み取って「大出力」の電流・電圧としてＩＣタグ検出部３に設定するようにしておけばよい。同様に、「小出力」についても検出範囲を段階的に変えて利用者が任意に設定可能としてもよい。
【００６７】
そして、ＩＣタグ検出部３が、制御部１から指定された大出力で広い範囲に電波を出力すると、当該電波を受信したＩＣタグが、自己のＩＤを含む信号を返信する。図７の例では、「かばん」は範囲内にあるので信号を返信するが、置き忘れてきてしまった「かさ」は範囲外となって携帯電話機からの電波を受信せず、従って、返信することもない。
【００６８】
ＩＣタグ検出部３は、ＩＣタグから送信された信号からＩＤを読み取り、所持品登録テーブルに携行フラグが設定されているＩＣタグＩＤと、読み取ったＩＤとを比較する。そして、携行フラグが設定されているＩＣタグＩＤを全て読み取ったか否かを判断し、読み取らなかったＩＣタグＩＤがあれば、そのＩＣタグＩＤに対応する携行品はどこかに忘れてきたものであるから、当該ＩＣタグＩＤに対応する所持品名を読み取って、例えば「かさを忘れています」といった警告メッセージを表示すると共に、警報音や音声メッセージを出力して、利用者に忘れ物を報知する。尚、警告メッセージをアイコンによって表示してもよい。このようにして「忘れ物検出モード」での動作が行われるものである。
【００６９】
次に、制御部１における処理について説明する。
まず、「当日設定モード」における制御部３の処理について図８を用いて具体的に説明する。図８は、「当日設定モード」における制御部３の処理を示すフローチャート図である。
図８に示すように、キー入力部６から忘れ物防止アプリケーションが起動され、「当日設定モード」が指定されると、制御部１は、自動設定又は手動設定のいずれが選択されたを判断し（１００）、「手動設定」が指定された場合には、手動設定処理を行う（１２０）。
【００７０】
手動設定処理は、上述したように、制御部１は、所持品登録テーブル２１に登録されている所持品名を表示部７に一覧表示して、「持っていくものを選択してください」といったメッセージを表示する。利用者が一覧表示上で所持品名をキー入力部６により選択し、「設定」といった指示を入力すると、制御部１が所持品登録テーブル２１の当該所持品名に対応する携行フラグをＯＮ（「１」）に設定する。そして、設定終了の指示が入力されると携行フラグがＯＮに設定された所持品を一覧表示する。このようにして「当日設定モード」の手動設定処理が行われるものである。
【００７１】
また、処理１００で「自動設定」が指定されると、制御部１は、例えば「何を持っていきますか」とか、「持っていくものを出してください」といったメッセージを表示部７に表示し（１０２）、利用者に携行品の設定準備を促す。
【００７２】
そして、図６に示すように、利用者が、当日持っていくものをまとめてテーブルの上などに並べ、キー入力部６から「設定」の指示が入力されると（１０４）、制御部１は、ＩＣタグ検出部３に、「小出力」として設定されている電力で、狭い範囲に電波を送出するよう指示を出力する（１０６）。
【００７３】
ＩＣタグ検出部３は、この指示に従って狭い範囲に電波が到達する出力で、電波を送出する。
ＩＣタグ検出部３から狭い範囲に電波が出力されると、テーブルの上に並べられた当日携行する所持品（携行品）は、ＩＣタグ検出部３からの電波を受信して、それに応じて自己のＩＤを含む信号を出力する。ＩＣタグは、受信した電波の出力に応じた出力で返信可能となっている。
【００７４】
ＩＣタグ検出部３は、各ＩＣタグから出力された電波を受信して、それに含まれるＩＣタグＩＤをそれぞれ検出し、制御部１に出力する。
制御部１は、ＩＤが入力されると、一時記憶メモリに記憶しておき、その内から１つのＩＤを読みとって（１０８）、メモリ２の所持品登録テーブル２１に当該ＩＤに対応する所持品名の携行フラグをＯＮ（「１」）に設定する（１１０）。
【００７５】
そして、制御部１は、一時記憶された全ての受信ＩＤについて携行フラグを設定したかどうかを判断し（１１２）、全てのＩＤについて設定を行っていない場合には、処理１０８に移行して同様の処理を繰り返す。
【００７６】
処理１１２において、一時記憶された全てのＩＤについて携行フラグの設定を行った場合には、制御部１は、「携行品の設定をしました」といったメッセージを表示すると共に携行フラグがＯＮに設定された携行品の一覧を表示する（１１４）。利用者は、この一覧表示を見てその日に持っていくものを確認する。
このようにして本装置の当日設定モードにおける処理が行われるものである。
【００７７】
尚、一旦携行品の設定を行った後でも、「追加」や「削除」といった携行品の編集を手動設定で行うことも可能である。
例えば、キー入力部６から「追加」（又は「手動設定」）の指示が入力されると、制御部１は、所持品登録テーブル２１に登録されている所持品名の一覧表示を行って、キー入力部６からの選択操作に基づいて、当該所持品の携行フラグを「１」にし、当該所持品を携行品一覧に追加して、携行品一覧を表示する。
【００７８】
同様に、キー入力部６から「削除」が入力された場合には、携行品一覧表示の中から、キー入力部６からの選択操作によって削除する携行品が指定され、所持品登録テーブル２１の当該携行品に対応して記憶されている携行フラグをＯＦＦ（「０」）にし、当該携行品を携行品一覧から削除して、携行品一覧を表示するようになっている。
【００７９】
次に、「忘れ物検出モード」における本装置の制御部１の処理について図９を用いて説明する。図９は、「忘れ物検出モード」における本装置の制御部１の処理（忘れ物検出処理）を示すフローチャート図である。
図９に示すように、忘れ物防止アプリケーションの動作において「忘れ物検出モード」が設定されると、制御部１は、予め設定されている時間間隔で定期的に忘れ物検出処理を起動する。忘れ物検出処理は、数分間隔〜数十分間隔が好ましい。忘れ物検出処理が起動されると、制御部１は、ＩＣタグ検出部３に対して「大出力」で広い範囲に電波を出力するよう、指示を出力する（２００）。
【００８０】
ＩＣタグ検出部３が「大出力」で広い範囲に電波を出力すると、当該電波を受信したＩＣタグが応答信号を送信し、ＩＣタグ検出部３は受信した応答信号中に含まれる識別番号（ＩＤ）を読み取って制御部１に出力する。制御部１は、入力されたＩＤを一時記憶メモリに記憶する（２０２）。このとき、前に記憶されたＩＤは一旦消去され、新たに入力されたＩＤが書き込まれる。そして、制御部１は、受信したＩＤと、所持品登録テーブル２１において携行フラグがＯＮに設定されているＩＤとを比較する（２０４）。
【００８１】
そして、制御部１は、所持品登録テーブル２１において携行フラグがＯＮに設定されているＩＤが、全て受信されたかどうかを判断し（２０６）、利用者が忘れ物をしていなければ、全ての携行品のＩＤを受信するはずであるから、全て受信した場合には、忘れ物はないとしてそのまま処理を終わる。
【００８２】
また、処理２０６で、受信していないＩＤがあった場合には、制御部１は、表示部７に、当該受信しなかったＩＤに対応する所持品名を含む警告メッセージを表示し、スピーカ８にアラーム音を出力して利用者に注意を促す（２０８）。警告メッセージとしては、「かさがありません」や「かさを忘れています」等がある。警告メッセージを、表示部７に表示するだけでなくスピーカ８から音声メッセージとして出力してもよい。これらの警告メッセージのパターンやアラーム音のデータは予め忘れ物防止アプリケーションに備えられている。
【００８３】
更に、制御部１は、表示部７に、警告メッセージに加えて、所持品名に対応するアイコンを表示してもよい。アイコンは、アイコンテーブル２２に記憶されているアイコン表示データに基づいて表示するものである。又は、表示はアイコンのみとして、アラーム音で報知することも可能である。アイコンは所持品を端的に表した図柄であるから、アイコンのみの表示であっても、利用者に忘れ物をしたことを瞬時に認識させることができるものである。
【００８４】
本発明の実施の形態に係る忘れ物防止機能付き携帯電話機によれば、忘れ物防止アプリケーションにおいて「当日設定モード」を設け、制御部１が、「当日設定モード」が設定された場合には、ＩＣタグ検出部３に対して、「小出力」で電波を発信するよう指示を出力し、ＩＣタグ検出部３が、半径数十センチから１メートル程度の狭い範囲に届く小出力で電波を発信して、ＩＣタグからの受信信号に含まれるＩＣタグのＩＤを読み取り、制御部１が、当該ＩＤに基づいて所持品登録テーブル２１に当日携行することを示す携行フラグをＯＮに設定するものとしているので、利用者は、当日持っていく所持品を狭い範囲に置いて「当日設定モード」の設定を行えば、携帯電話機からの電波を受信する範囲内にある所持品は全て携行品として一括設定でき、携行する所持品の設定を少ない操作で簡単に行うことができる効果がある。
【００８５】
また、本装置によれば、忘れ物防止アプリケーションにおいて、「忘れ物検出モード」を設け、制御部１が、「忘れ物検出モード」が設定されている場合に、定期的に、ＩＣタグ検出部３に対して、「大出力」で電波を発信するよう指示を出力し、ＩＣタグ検出部３が、半径数メートル程度の広い範囲に届く出力で電波を発信して、ＩＣタグからの受信信号に含まれるＩＣタグのＩＤを読み取り、制御部１が、所持品登録テーブル２１を参照して、携行フラグがＯＮに設定されているＩＤを全て読み取ったかどうか判断し、読み取らなかったＩＤは忘れ物であるとしてアラーム音を出力し、当該ＩＤに対応する所持品名を含む警告メッセージを出力するものとしているので、利用者が忘れ物をしてもそれを報知することができ、忘れ物を防ぐことができる効果がある。
【００８６】
更に、本装置によれば、制御部１に２次元バーコード処理手段を設け、所持品を登録する際の補助手段として、ＩＣタグと当該ＩＣタグのＩＤが記憶された２次元バーコードとを対応付けたＩＣタグシートを用いて、２次元バーコードを本装置のカメラ１０で撮影して読み込むことにより、ＩＣタグのＩＤを容易に取り込むことができ、これに対応して所持品名を入力すれば、容易且つ正確にＩＣタグのＩＤを登録することができ、忘れ物検出のための登録を簡易にして使い勝手を向上させると共に、忘れ物を精度よく検出できる効果がある。
【００８７】
更に、本装置によれば、制御部１にアイコン識別手段を備え、メモリ２にアイコン識別データと所持品名を対応付けて記憶するアイコンテーブル２２を設け、所持品の登録の際に、カメラ１０でアイコンシールのアイコンと２次元バーコードとを対応付けて取り込み、制御部１が、入力されたアイコンの画像データとアイコンテーブル２２のアイコン識別データとを比較して、一致する場合に、当該アイコン識別データに対応する所持品名を読み取って、２次元バーコードのＩＣタグＩＤと対応付けて所持品登録するようにしているので、所持品名を手入力するのに比べて、所持品の登録作業が容易になり、使い勝手を向上させることができる効果がある。
【００８８】
更にまた、本装置によれば、忘れ物検出モードにおいて忘れ物を検出した場合に、警告の表示を所持品を表すアイコンで行うようにしているので、利用者に、忘れ物を瞬時に認識させることができる効果がある。
【００８９】
尚、本発明では、当日持っていく所持品の設定の容易性と、忘れ物検出の確実性を向上させるため、「当日設定モード」と「忘れ物検出モード」における電波出力を、それぞれ「小出力」と「大出力」とに分けているが、装置を簡易に構成するのであれば、両者を同じ出力としてもよい。
【００９０】
この場合は、ＩＣタグ検出部からの電波出力を、例えば上述した「小出力」と「大出力」の中間程度（例えば半径２メートル程度）とすることが考えられる。
そして、利用者が、持っていく所持品を全て身につけた状態で「当日設定モード」を設定すると、身につけた所持品に貼付されたＩＣタグのみが携帯電話機からの電波を受信してＩＤを含む信号を返信し、携帯電話機の制御部がこれに基づいて所持品登録テーブルに携行フラグを設定するものである。そして、「当日設定モード」から自動的に「忘れ物検出モード」に移行するようにしておけば、少ない操作で携行品の設定と忘れ物検出を実行させることができるものである。
【００９１】
電波出力を１種類にするのは、手荷物として常時身につけていなければならないような所持品について忘れ物検出を行う場合に適している。電波出力を１種類としても、携行する所持品の設定を一括で行うことができるため、当日出かける前の設定操作を簡単にできるものである。また、電波出力を２種類とする場合に比べて、装置を簡略化でき、消費電力を低減できる効果がある。
【産業上の利用可能性】
【００９２】
本発明は、利用者が外出先等で忘れ物をするのを防ぐことができる忘れ物防止機能付き携帯電話機に適している。
【図面の簡単な説明】
【００９３】
【図１】本発明の実施の形態に係る忘れ物防止機能付き携帯電話機の構成ブロック図である。
【図２】（ａ）〜（ｃ）は、本装置における所持品の登録の補助手段としてのＩＣタグシートの模式説明図である。
【図３】アイコンシールの例を示す説明図である。
【図４】アイコンテーブル２２の模式説明図である。
【図５】所持品登録テーブル２１の模式説明図である。
【図６】忘れ物防止アプリケーションの当日設定モードを示す模式説明図である。
【図７】忘れ物防止アプリケーションの忘れ物検出モードを示す模式説明図である。
【図８】「当日設定モード」における制御部３の処理を示すフローチャート図である。
【図９】「忘れ物検出モード」における制御部１の処理（忘れ物検出処理）を示すフローチャート図である。
【符号の説明】
【００９４】
１…制御部、  ２…メモリ、  ３…ＩＣタグ検出部、  ５…送受信部、  ６…キー入力部、  ７…表示部、  ８…スピーカ、  ９…マイク、  １０…カメラ、  ２１…所持品登録テーブル、  ２２…アイコンテーブル
【図１】
2006140550.tif 000003
【図２】
2006140550.tif 000004
【図３】
2006140550.tif 000005
【図４】
2006140550.tif 000006
【図５】
2006140550.tif 000007
【図６】
2006140550.tif 000008
【図７】
2006140550.tif 000009
【図８】
2006140550.tif 000010
【図９】
2006140550.tif 000011